(57)【要約】【課題】使用者がソフトウェアキーに割り当てる機能を変更可能な心電計およびその制御方法を実現すること。【解決手段】タッチディスプレイの表示画面の一部をファンクションキー領域として用いる心電計である。ファンクションキーに割り当てる機能をユーザが変更するための設定画面において、１つのファンクションキーに対して、心電計が有する複数の計測モードのそれぞれについて、独立した機能を割り当て可能とした。【選択図】図４
2018171239.tif 000002
【特許請求の範囲】
【請求項１】
タッチディスプレイの表示画面の一部をファンクションキー領域として用いる心電計であって、
ファンクションキーに割り当てる機能をユーザが変更するための設定画面を表示し、前記設定画面に対する操作に応じて前記ファンクションキーに機能を割り当てる制御手段を有し、
前記設定画面では、１つのファンクションキーに対して、前記心電計が有する複数の計測モードのそれぞれについて、独立した機能を割り当て可能である、
ことを特徴とする心電計。
【請求項２】
前記設定画面では、前記複数の計測モードの１つと、複数のファンクションキーの１つとを選択可能であり、
前記制御手段は、
前記複数の計測モードの１つと、前記複数のファンクションキーの１つとが選択されると、選択されたファンクションキーに割り当て可能な予め定められた複数の機能を表示する機能選択画面を表示し、
前記機能選択画面において選択された機能を、前記選択されたファンクションキーの機能として割り当てる、
ことを特徴とする請求項１に記載の心電計。
【請求項３】
前記予め定められた複数の機能が、前記複数の計測モードのそれぞれについて別個に定められていることを特徴とする請求項２に記載の心電計。
【請求項４】
前記複数の計測モードのいずれが選択されていても、前記機能選択画面では、機能を割り当てないことが選択可能であることを特徴とする請求項２または請求項３に記載の心電計。
【請求項５】
前記制御手段は、前記設定画面において前記複数の計測モードの１つが選択されると、該選択された計測モードについて前記複数のファンクションキーのそれぞれに割り当てられている機能を一覧表示することを特徴とする請求項２から請求項４のいずれか１項に記載の心電計。
【請求項６】
前記制御手段は、前記一覧表示された機能の１つが選択されると、対応するファンクションキーについての前記機能選択画面を表示することを特徴とする請求項５に記載の心電計。
【請求項７】
前記制御手段は、
前記ファンクションキー領域に、複数のファンクションキーと、切り替えキーとを表示し、
前記切り替えキーが操作されるごとに、前記ファンクションキー領域に表示する複数のファンクションキーを切り替える、
ことを特徴とする請求項１から請求項６のいずれか１項に記載の心電計。
【請求項８】
前記制御手段は、前記設定画面において前記複数の計測モードの１つが選択されると、該選択された計測モードについて複数のファンクションキーのそれぞれに割り当てられている機能を、前記ファンクションキー領域に表示される組み合わせと、前記ファンクションキー領域で表示される位置とに対応させて、選択可能に一覧表示することを特徴とする請求項７に記載の心電計。
【請求項９】
タッチディスプレイの表示画面の一部をファンクションキー領域として用いる心電計の制御方法であって、
ファンクションキーに割り当てる機能をユーザが変更するための設定画面を表示する表示工程と、
前記設定画面に対する操作に応じて前記ファンクションキーに機能を割り当てる設定工程と、を有し、
前記設定画面では、１つのファンクションキーに対して、前記心電計が有する複数の計測モードのそれぞれについて、独立した機能を割り当て可能である、
ことを特徴とする心電計の制御方法。
【請求項１０】
心電計が有するコンピュータを、請求項１から請求項８のいずれか１項に記載の心電計が有する前記制御手段として機能させるためのプログラム。
【発明の詳細な説明】
【技術分野】
【０００１】
本発明は心電計およびその制御方法に関し、特にはタッチディスプレイを備える心電計およびその制御方法に関する。
【背景技術】
【０００２】
心電図やレポートを画面で確認する機能を有する心電計では、視認性を高めるために、できるだけ画面の大きな表示部を有することが望まれる。しかしながら、画面を大きくすることで、スイッチやボタンを配置するためのスペースが減少する。この問題を緩和するため、タッチディスプレイの画面の一部をソフトウェアキーの領域として用いる構成が知られている（特許文献１）。
【先行技術文献】
【特許文献】
【０００３】
【特許文献１】特許第4949685号公報（図３）
【発明の概要】
【発明が解決しようとする課題】
【０００４】
タッチディスプレイとソフトウェアキーとの組み合わせにより、筐体のスペースを用いることなく事実上任意の数のキーやスイッチを心電計に設けることができるようになる。しかしながら、画面内に配置できるソフトウェアキーの数には制約がある。これは、ソフトウェアキーにはある程度の大きさが必要であるため、数を多くすると心電図の表示領域を圧迫してしまうからである。
【０００５】
ソフトウェアキーにある程度の大きさが必要な理由の１つは、機能を示すテキストの視認性を確保するためである。特に非漢字言語では漢字より文字数が多くなるため、多国語に対応した製品では特に問題となる。また、別の理由として、ユーザが意図したソフトウェアキーを確実にタッチ操作できるようにするためにも、ある程度の大きさが必要になる。このような背景から、特に小型の心電計では、画面に３〜４個のソフトウェアキーしか配置できない。この問題に対応するため、切り替えキーが操作されるごとに、画面に表示されるソフトウェアキーのセットを切り替える機能を有する心電計もある。
【０００６】
しかしながら、所望の機能を有するキーが表示されるまでに何度も切り替えが必要になると操作性の低下を招く。そのため、よく用いる機能が割り当てられたキーは少ない切り替え回数で使用できることが望ましいが、どの機能をよく用いるかは心電計の使用環境や使用者に応じて異なるため、全ての使用環境や使用者が満足するキーの配列を実現するのは困難である。
【０００７】
本発明は、このような従来技術の問題点に鑑みてなされたものであり、使用者がソフトウェアキーに割り当てる機能を変更可能な心電計およびその制御方法を実現することを一目的とする。
【課題を解決するための手段】
【０００８】
上述の目的は、タッチディスプレイの表示画面の一部をファンクションキー領域として用いる心電計であって、ファンクションキーに割り当てる機能をユーザが変更するための設定画面を表示し、設定画面に対する操作に応じてファンクションキーに機能を割り当てる制御手段を有し、設定画面では、１つのファンクションキーに対して、心電計が有する複数の計測モードのそれぞれについて、独立した機能を割り当て可能である、ことを特徴とする心電計によって達成される。
【発明の効果】
【０００９】
このような構成により、本発明によれば、使用者がソフトウェアキーに割り当てる機能を変更可能な心電計およびその制御方法を実現することができる。
【図面の簡単な説明】
【００１０】
【図１】本発明の実施形態に係る心電計の機能構成例を示すブロック図である。
【図２】実施形態に係る心電計の画面例を示す図である。
【図３】実施形態に係る心電計のファンクションキー設定動作に関するフローチャートである。
【図４】実施形態に係る心電計の画面例を示す図である。
【図５】実施形態に係る心電計の画面例を示す図である。
【発明を実施するための形態】
【００１１】
以下、図面を参照して本発明の例示的な実施形態について詳細に説明する。
（心電計の構成）
図１は、本発明の実施形態に係る心電計１００の構成例を示すブロック図である。
電極群１１０は、例えば四肢電極（４つ）および胸部電極（６つ）からなる。電極群１１０が有する電極の種類や数は、心電計１００で計測する心電図信号（誘導）の種類および数によって決まる。
【００１２】
電極群１１０（心電図電極）は心電計１００の入力部１１１が備えるコネクタに接続される。入力部１１１は例えば保護回路、誘導選択器、増幅回路などを有し、予め設定された種類と数の心電図信号を出力する。
Ａ／Ｄ変換部１１２は、入力部１１１から出力される心電図信号のそれぞれをデジタル化し、心電図波形データとして出力する。入力部１１１とＡ／Ｄ変換部１１２はアナログフロントエンド（ＡＦＥ）とも呼ばれる。
【００１３】
フィルタ処理部１１３は、Ａ／Ｄ変換部１１２を通じて入力される心電図波形データに対し、制御部１２０からの設定に従ってノイズ除去フィルタを適用する。本実施形態において、フィルタ処理部１１３は、一例として、筋電ノイズ除去フィルタ、ＡＣノイズ除去フィルタ、およびドリフトノイズ除去フィルタを選択的に適用可能であるものとするが、フィルタ処理の種類や数はこれらに限定されない。
スピーカ１１４は、制御部１２０が例えば警告音や音声メッセージを出力するために用いる。
【００１４】
制御部１２０は例えばＲＯＭ、ＲＡＭおよびプログラマブルプロセッサを含み、ＲＯＭに記憶された制御プログラムをＲＡＭに展開してプログラマブルプロセッサが実行することにより、心電計１００全体の動作を制御する。ＲＯＭには制御プログラムのほか、各種の設定値やＧＵＩデータなどが記憶されており、制御プログラムの実行時に適宜用いられる。また、ＲＯＭの少なくとも一部は書き換え可能であってよい。
【００１５】
なお、例えばフィルタ処理部１１３は、制御部１２０が有するプログラマブルプロセッサがプログラムを実行することによって実現してもよいし、ＡＳＩＣやＡＳＳＰなどのハードウェアで実現してもよい。フィルタ処理部１１３はハードウェアとソフトウェアの組み合わせにより実現してもよい。
【００１６】
解析部１２０１は制御部１２０が実現する心電図波形データの自動解析機能に相当し、計測した心電図波形データに対して自動解析処理を適用する。自動解析処理は、大きく分けて計測処理と所見分類処理の２つに大別できる。計測処理は、心電図の区分点（Ｐ、ＱＲＳ、Ｔ）を検出し、計測値（ＲーＲ間隔、ＳＴレベル、ＰＱ、ＱＲＳ幅、ＱＴ等）を求める処理である。また、所見分類処理は、計測値と予め判定された判定条件とから所見を決定する処理である。なお、ここで挙げた計測値は単なる例示であり、他の計測値を求めてもよい。
【００１７】
カードスロット１１６にはメモリカードを着脱可能であり、制御部１２０は装着されたメモリカードに心電図検査データを記録したり、装着されたメモリカードから記録済みの心電図検査データを読み出したりすることができる。なお、心電図検査データは、心電図波形データおよび被検者情報のデータを含む。心電図波形データの自動解析を行った場合、検査データは自動解析結果のデータも含む。心電図検査データは所定のデータ形式で検査ごとに生成される。なお、心電図検査データは複数のデータファイルで構成されてもよいし、１つのデータファイルで構成されてもよい。
【００１８】
操作部１１７はユーザ（医療関係者）が心電計１００に各種設定や指示を入力する入力デバイスであり、ボタン、キー、タッチパネル（ソフトウェアキー）などが一般的に用いられるが、これらに限定されない。音声入力のような物理的な入力操作を必要としない入力方法がサポートされてもよい。
【００１９】
表示部１１８は、ＬＣＤなどの表示装置であり、制御部１２０の制御に従い、計測中の心電図、あるいはカードスロット１１６に装着されたメモリカードに記憶された心電図検査データに基づく心電図および／または解析レポートや、メニュー画面などを表示する。本実施形態において表示部１１８はタッチディスプレイであるものとする。
プリンタ１１９は、例えばサーマルプリンタであり、制御部１２０の制御に従い、心電図波形や解析レポートを所定のフォーマットで印刷出力する。
【００２０】
電源部１２１は例えば二次電池や商用電源（ＡＣアダプタ）であり、心電計１００の各部へ電力を供給する。
【００２１】
外部Ｉ／Ｆ１２３は外部機器を有線接続するための汎用インタフェースである。本実施形態において外部Ｉ／Ｆ１２３はＵＳＢ２．０規格に準拠したインタフェースであるものとするが、他の規格に準拠した汎用インタフェースであってもよい。また、外部Ｉ／Ｆ１２３の数は２つ以上であってもよい。外部Ｉ／Ｆ１２３にはＵＳＢ接続可能な任意の外部機器２００（例えばＵＳＢメモリやパーソナルコンピュータ）を接続可能である。
【００２２】
このような構成を有する心電計１００を用いて例えば心電図信号の計測及び記録を行う場合、心電計１００の電源がＯＮの状態で、被検者の体表面の所定の位置に電極群１１０の一端に設けられた電極パッドや電極クリップを取り付け、電極群１１０の他端に設けられたコネクタを入力部１１１に接続する。
【００２３】
入力部１１１に電極群１１０が接続されると、検出された心電図信号が入力部１１１に入力され、Ａ／Ｄ変換部１１２、フィルタ処理部１１３などの処理を経て心電図波形データとして制御部１２０に入力される。制御部１２０は内部のＲＡＭの一部をバッファとして用い、直近の所定秒数分の心電図波形データを一時的に蓄積する。また、制御部１２０は、バッファ内の心電図波形データを用いて、表示部１１８への心電図の表示を開始する。
【００２４】
本実施形態の心電計は以下の複数の計測モードを有する。
（１）１２誘導自動計測モード
記録開始指示の入力時点から予め定められた期間（例えば１０秒間）に計測された１２誘導心電図信号について、自動解析結果を含んだ心電図検査データを記録するとともに、表示部１１８および／またはプリンタ１１９に出力する。
（２）１２誘導手動計測モード
記録開始指示が入力されてから、記録停止指示が入力されるまで、１２誘導のうち指定された一部の誘導の心電図波形をリアルタイムにプリンタ１１９から出力する。
（３）不整脈計測モード
１２誘導のうち指定された３種類の誘導について、記録開始指示が入力されてから、予め定められた期間（例えば数分）に計測された誘導の心電図波形をリアルタイムにプリンタ１１９から出力する。
（４）リズム計測モード
１２誘導のうち指定された１種類の誘導について、記録開始指示が入力されてから、予め定められた期間（例えば数分）に計測された誘導の心電図波形をリアルタイムにプリンタ１１９から出力する。
なお、これらの計測モードおよび動作は単なる例示であり、これらの全ての計測モードを有する必要はなく、また他の計測モードや動作も可能である。
【００２５】
操作部１１７から記録開始指示が入力されると、制御部１２０は設定されている計測モードに応じた記録動作を実行し、設定された記録時間の経過、あるいは操作部１１７からの記録終了指示の入力を検出すると記録動作を終了する。
【００２６】
自動解析処理を実行する場合、制御部１２０（解析部１２０１）は、バッファに蓄積された記録期間分の心電図波形データについて自動解析処理を実行する。制御部１２０は、心電図波形データとその自動解析結果のデータ、被検者情報のデータを含んだ検査データを生成し、カードスロット１１６に装着されたメモリカードあるいは外部Ｉ／Ｆ１２３に接続された外部機器２００に記録する。
【００２７】
なお、検査データのフォーマットに制限はなく、複数のデータファイルから構成されても、１つのデータファイルで構成されてもよい。例えば被検者情報と心電図波形データとを含んだデータファイルと、自動解析結果のデータとが別のデータファイルとして生成される場合、同じ検査に係る複数のデータファイルを判別できるように記録する。例えば、それぞれのデータファイルを同じフォルダに記録したり、同じファイル名で拡張子を異ならせて記録したりすることができる。また、検査データが１つのデータファイルで構成される場合、心電図波形データとその自動解析結果のデータ、被検者情報のデータを含んだデータファイルを生成する。これらは単なる例示であり、他の方法で検査データを生成してもよい。
【００２８】
１２誘導自動計測モードの場合、制御部１２０は、自動解析処理が終了すると、バッファに蓄積されている心電図波形とその自動解析結果とを所定のフォーマットで表示部１１８および／またはプリンタ１１９に出力する。
【００２９】
（ソフトウェアキーのカスタマイズ処理）
次に、図２〜図５を参照して、本実施形態における心電図データおよび自動解析結果の閲覧処理について説明する。
図３のフローチャートに示す処理は、制御部１２０がＲＯＭに記憶された制御プログラムを実行することによって実現される。
【００３０】
図２（ａ）は、心電計１００の記録スタンバイ時および計測時における画面（検査画面２００）の例を示す図である。ここでは、被検者に電極が装着され、記録開始指示の入力待ち状態（記録スタンバイ時）であるものとする。
【００３１】
検査画面２００は、見出し領域２０１と、心電図領域２０２と、ファンクションキー領域２０３とを有する。
見出し領域２０１には、被検者情報や検査の種類、フィルタ処理部１１３で適用するフィルタの種類などが表示されるほか、メニューボタン２０４が配置されている。なお、見出し領域２０１に表示される情報の数や種類は単なる例示である。なお、表示画面内の「ボタン」「キー」は、ソフトウェアキーであり、本実施形態では画面に表示されるボタンやキーの画像の領域への所定のタッチ操作（例えばタップ操作）を、そのボタンやキーの操作として制御部１２０が認識するように構成されているものとする。従って、以下の説明における「キー」や「ボタン」への「操作」は、「キー」や「ボタン」の画像領域への所定のタッチ操作を意味する。ただし、ソフトウェアキーの操作はタッチ操作によるものに限定されない。例えばハードウェアキーやボタンの操作を、対応付けられたソフトウェアキーの操作と認識するように構成してもよい。
【００３２】
心電図領域２０２には、計測中の心電図波形が所定のフォーマットでリアルタイムに表示される。表示される心電図波形の数や種類は設定されている計測モードに応じて異なる。図２（ａ）では、１２誘導自動計測モードでの表示例を示している。
【００３３】
ファンクションキー領域２０３には、ユーザが心電計１００に対して指示を与えるためのソフトウェアキーが配置される。ここでは、４つのファンクションキーＦ１〜Ｆ４と、ファンクションキー領域２０３に表示するファンクションキーの切り替えを指示するためのページ送りキー２０５が配置される。本実施形態において機能をカスタマイズ可能なファンクションキーは所謂ショートカットキーであり、ファンクションキーに割り当てられたメニュー項目をメニューの複数階層を辿ることなく直接呼び出すことができる。なお、ファンクションキーＦ１〜Ｆ４に割り当てられる機能は特定のメニュー項目を呼び出す機能に限らない。例えば前の画面への遷移指示を心電計１００に与える機能などが固定的に（カスタマイズ不能に）割り当てられる場合もある。
【００３４】
ファンクションキー領域２０３に表示されるファンクションキーＦ１〜Ｆ４の機能は、ページ送りキー２０５が操作されるごとに、例えばページ数が増加する方向に切り替わる（最後のページの次は最初のページに戻る）。ページ送りキー２０５の表示「１／３」は、合計で３ページ（３組）のファンクションキーＦ１〜Ｆ４が切り替え可能であること、現在表示されているのが１ページ目であることを示している。従って、検査画面２００からは１２個のファンクションキーが利用可能である。なお、利用できるファンクションキーの総数は、表示画面によって異なってもよい。
【００３５】
メニューボタン２０４が操作されると、制御部１２０は図２（ｂ）に示すようなメニュー画面２２０を表示部１１８に表示させる。
そして、メニュー画面２２０に含まれる「機能設定」ボタン２２１が操作されると、制御部１２０は図２（ｃ）に示す設定一覧画面２４０を表示部１１８に表示させる。設定一覧画面２４０で「ファンクションキー」ボタン２４１が操作されると、制御部１２０は図３のフローチャートに示すファンクションキー設定処理の動作を開始する。
【００３６】
Ｓ３０１で制御部１２０は、ファンクションキーに割り当てる機能をユーザが変更するための設定画面として、例えば図４（ａ）に示すような、ファンクションキーの機能割り当て一覧画面４００を表示部１１８に表示させる。便宜上、本実施形態ではファンクションキー設定の対象を検査画面２００におけるファンクションキーに限定しているため、機能割り当て一覧画面４００は検査画面２００におけるファンクションキーに関する設定を一覧表示している。しかし、他の画面におけるファンクションキーについても設定可能としてもよく、この場合はファンクションキーを設定する画面をユーザに指定させ、指定された画面に応じた機能割り当て一覧画面を表示するように構成すればよい。
【００３７】
上述の通り、心電計１００は４つの計測モードを有するため、検査画面２００におけるファンクションキーに割り当てる機能を計測モードごとに独立して設定可能としている。換言すれば、１つのファンクションキーに対し、計測モードごとに異なる機能を割り当て可能である。そして、Ｓ３０１で制御部１２０は、４つの計測モードのうち、最も使用頻度が高いと思われる１２誘導自動計測モードについてのファンクションキーの機能割り当て一覧画面４００を表示する。制御部１２０は、計測モードの変更操作（計測モードに対応したタブ４０２〜４０８の１つを選択する操作）を検出すると（Ｓ３０３、Ｙ）、表示タブを切り替え、別の計測モードについての機能割り当て一覧画面を表示する（Ｓ３０５）。
【００３８】
機能割り当て一覧画面４００のキー選択領域４１０には、ファンクションキーＦ１〜Ｆ４のそれぞれに割り当てられている機能を、ファンクションキー領域２０３に表示される組み合わせ（ページ）と、表示される位置（Ｆ１〜Ｆ４）とに対応させて、選択可能に一覧表示する。
【００３９】
キー選択領域４１０において、いずれかのキーを選択する操作が検出されると（Ｓ３０７、Ｙ）、制御部１２０は選択されたキーに割り当て可能な機能の一覧を選択可能に表示する機能選択画面４２２を、例えば子画面として表示させる（Ｓ３０９）。例えば図４（ａ）のキー選択領域４１０において、第２ページでＦ２として表示されるファンクションキー４１１の選択操作が検出された場合、制御部１２０は図４（ｂ）に示す機能選択画面４２２を表示させる。なお、Ｓ３０９で制御部１２０は、キー選択操作検出された時点で選択されていたタブに応じた機能選択画面、すなわち計測モードに応じた機能選択画面を表示する。従って、図４（ｂ）における機能選択画面４２２は、タブ４０２に対応する１２誘導自動計測モードについての機能選択画面である。計測モードと割り当て可能な機能の選択肢とは、例えば制御部１２０内のＲＯＭに関連づけて記憶されている。
【００４０】
機能選択画面４２２には割り当て可能な機能の一覧を、現在割り当てられている機能を判別可能に表示する。ここでは一例として、機能に対応付けて表示されるラジオボタンのうち、現在割り当てられている機能に対応するラジオボタン４２６を選択状態とすることにより、現在割り当てられている機能を判別可能としている。この例では２ページ目のファンクションキーＦ２として表示されるファンクションキー４１１に割り当てられている機能が無いため、「なし」が割り当てられているものとして表示される。
【００４１】
制御部１２０は、例えば機能選択画面４２２における機能名に対応する位置への操作、またはラジオボタンの選択操作が検出されると、機能に対応するラジオボタンを選択状態に変更するとともに、それまで選択状態であったラジオボタンを非選択状態とする。このように、機能選択画面４２２では１つの選択肢だけを選択可能である。機能選択画面４２２には閉じるボタン４２８と決定ボタン４２４が設けられている。決定ボタン４２４の操作は、機能決定操作である。制御部１２０は、機能決定操作を検出すると（Ｓ３１１、Ｙ）、その時点で機能選択画面４２２において選択状態の機能を、機能割り当て一覧画面４００で選択されたキーに割り当て（Ｓ３１３）た後、機能選択画面４２２を閉じる（Ｓ３１７）。
【００４２】
一方、制御部１２０は、閉じるボタン４２８の操作を検出すると（Ｓ３１５、Ｙ）、設定を変更せずに機能選択画面４２２を閉じる（Ｓ３１７）。
【００４３】
上述の通り、本実施形態では１つのファンクションキーに対して計測モードごとに異なる機能を割り当て可能であるが、さらに、計測モードごとに割り当て可能な機能の選択肢を異ならせることができる。図４（ｃ）は、タブ４０４が選択された状態で、２ページ目のファンクションキーＦ２として表示されるファンクションキーの選択に応答して表示される機能選択画面４４２の例を示している。タブ４０４が選択されているため、機能選択画面４４２には、１２誘導手動計測モードについてファンクションキーに割り当て可能な機能が一覧表示されている。
【００４４】
図４（ｂ）と（ｃ）との比較から分かるように、「レポートあり／なし」４２７は１２誘導自動計測モードでのみ、「記録速度」および「チャネル数」４４４は１２誘導手動計測モードでのみ、ファンクションキーに割り当て可能である。なお、これらの相違は例示であって、計測モード固有の選択肢について特に制限はない。
【００４５】
図５（ａ）は、図４（ａ）において、タブ４０６が選択された状態を示しており、不整脈計測モードについてファンクションキーに現在割り当てられている機能が一覧表示されている。
また、図５（ｂ）、（ｃ）はそれぞれ不整脈計測モードおよびリズム計測モードについて表示される機能選択画面５２２、５２４の例を示している。ここで示す例では不整脈計測モードおよびリズム計測モードについてファンクションキーに割り当て可能な機能が同じであるが、異ならせてもよい。
【００４６】
機能割り当て一覧画面４００において、例えば「戻る」キーの操作など、機能割り当て一覧画面４００から別の画面への遷移操作を検出すると（Ｓ３１９、Ｙ）、制御部１２０はファンクションキー設定処理を終了する。
【００４７】
以上説明したように、本実施形態によれば、タッチディスプレイを有する心電計において、ソフトウェアキーに割り当てる機能をユーザが変更するための設定画面を提供することにより、ユーザがソフトウェアキーに割り当てる機能を変更可能になる。また、１つのソフトウェアキーに、心電図の計測モードごとに異なる機能を割り当て可能としたので、計測モードに応じて所望の機能を割り当てることが可能になり、ユーザの利便性が向上する。例えば自動計測モードと手動計測モードとでは計測の目的が異なる場合が多く、従ってユーザが利用したい機能も異なることが多い。そのため、計測モードごとにソフトウェアキーに別個の機能を割り当て可能であることの効果は大きい。
【００４８】
なお、本発明に係る心電計は、心電図信号を処理可能なパーソナルコンピュータ、タブレット端末、スマートフォンのような汎用情報処理装置に、上述した動作を実行させるプログラム（アプリケーションソフトウェア）として実現することもできる。従って、このようなプログラムおよび、プログラムを格納した記録媒体（ＣＤ−ＲＯＭ、ＤＶＤ−ＲＯＭ等の光学記録媒体や、磁気ディスクのような磁気記録媒体、半導体メモリカードなど）もまた本発明を構成する。
【符号の説明】
【００４９】
１００…心電計、１１８…表示部、１２０…制御部、１２３…外部Ｉ／Ｆ、１２０１…解析部
【図１】
2018171239.tif 000003
【図２】
2018171239.tif 000004
【図３】
2018171239.tif 000005
【図４】
2018171239.tif 000006
【図５】
2018171239.tif 000007